(57)【要約】【課題】高精度のカラー画像を表示可能な電気泳動表示装置を提供する。【解決手段】荷電粒子を収容する少なくとも３層のセルを有し、マトリクス状に配置されて各画素を表示する複数の表示部と、各セルの上面又は下面に設けられた第１の電極と、各セルの側端部に設けられた第２の電極と、を備え、荷電粒子は、各表示部においてセル毎に異なる色に着色されている、電気泳動表示装置。【選択図】図１
2012108442.tif 000002
【特許請求の範囲】
【請求項１】
荷電粒子を収容する少なくとも３層のセルを有し、マトリクス状に配置されて各画素を表示する複数の表示部と、
前記各セルの上面又は下面に設けられた第１の電極と、
前記各セルの側端部に設けられた第２の電極と、
を備え、
前記荷電粒子は、前記各表示部において前記セル毎に異なる色に着色されている、電気泳動表示装置。
【請求項２】
前記第１及び第２の電極は、一方が前記セルの外側に設けられるとともに、他方が前記セルの内側に設けられている、請求項１に記載の電気泳動表示装置。
【請求項３】
前記第１及び第２の電極は、前記セルの外側に設けられ、
前記第２の電極は、前記セルの側面に位置している、請求項１に記載の電気泳動表示装置。
【請求項４】
前記第２の電極は、前記各セルの側端部全周に亘って設けられている、請求項１〜３のいずれかに記載の電気泳動装置。
【請求項５】
前記各表示部の上面の周縁部を覆うように設けられ、前記第２の電極に集積する前記荷電粒子を遮蔽するための遮蔽手段をさらに備える、請求項１〜４のいずれかに記載の電気泳動表示装置。
【請求項６】
前記各表示部の下方に設けられ、前記セルを通過した光を反射させるための反射板をさらに備える、請求項１〜５のいずれかに記載の電気泳動表示装置。
【請求項７】
前記荷電粒子は、フッ素を含有する材料から成り、負電荷を有するエレクトレット性粒子である、請求項１〜６のいずれかに記載の電気泳動表示装置。
【発明の詳細な説明】
【技術分野】
【０００１】
本発明は、電気泳動表示装置に関するものである。
【背景技術】
【０００２】
近年、荷電粒子の電気泳動による電気泳動表示装置（いわゆる電子ペーパー）が、次世代表示装置の最適技術と考えられている。このような電気泳動表示装置としては、例えば、特許文献１に提案されているように、マイクロカプセル化された荷電粒子を用いてフルカラーの画像を表示するものが広く知られている。この電気泳動表示装置は、表面及び背面に電極が設けられた複数のマイクロカプセルを有しており、各マイクロカプセル内には正に帯電させた白色荷電粒子と負に帯電させた着色荷電粒子（例えば、シアン、マゼンタ、又はイエロー）とが充填されている。この装置において、マイクロカプセルの表面の電極が負極且つ背面の電極が正極となるよう電極に電圧を印加すると、白色荷電粒子がマイクロカプセルの表面側に、着色荷電粒子がマイクロカプセルの背面側に向かって移動するため、画面には白色が表示される。一方、マイクロカプセルの表面の電極が正極且つ背面の電極が負極となるよう電極に電圧を印加したときは、着色荷電粒子がマイクロカプセルの表面側に、白色荷電粒子が背面側に向かって移動するため、画面には着色荷電粒子の色が表示される。
【先行技術文献】
【特許文献】
【０００３】
【特許文献１】特開２００５−２４７１８４号公報
【発明の概要】
【発明が解決しようとする課題】
【０００４】
上述したような電気泳動表示装置は、例えば、画面のある範囲に青色を表示したい場合、この範囲内において、シアンの着色荷電粒子が充填されたマイクロカプセルでは着色荷電粒子を表面側に移動させ、他のマイクロカプセルでは白色荷電粒子を表面側に移動させる。すなわち、シアン以外の着色荷電粒子が充填されたマイクロカプセルでは着色荷電粒子が色表示には用いられず、画面では青色と白色とが混在することになるため、画像の色が薄くなり、精度よくカラー画像を表示することができないという問題があった。
【０００５】
そこで、本発明は、高精度のカラー画像を表示可能な電気泳動表示装置を提供することを課題とする。
【課題を解決するための手段】
【０００６】
本発明に係る電気泳動表示装置は、上記課題を解決するためになされたものであり、荷電粒子を収容する少なくとも３層のセルを有し、マトリクス状に配置されて各画素を表示する複数の表示部と、前記各セルの上面又は下面に設けられた第１の電極と、前記各セルの側端部に設けられた第２の電極と、を備え、前記荷電粒子は、前記各表示部において前記セル毎に異なる色に着色されている。
【０００７】
上記電気泳動表示装置は、画素毎に表示部が設置されており、各表示部は少なくとも３層のセルから構成されている。この各セルには異なる色に着色された荷電粒子が収容されているため、第１及び第２の電極に電圧を印加することによって１つの画素においてさまざまな色を表示することが可能であり、画像範囲内に無駄な画素が存在することがなく、高精度のカラー画像を表示することができる。なお、本発明において、「セル毎に異なる色」とは、特に限定されるものではないが、例えば、シアン、マゼンタ、及びイエローや、レッド、グリーン、及びブルー等である。なお、本発明において、「セルの側端部」とは、セルの上面縁部、下面縁部、及び側面を意味している。
【０００８】
上記電気泳動表示装置は、第１及び第２の電極の一方がセルの外側に設けられるとともに他方がセルの内側に設けられていることが好ましい。この構成によれば、第１の電極と第２の電極とがセルによって隔てられることとなるため、例えば、指やタッチペン等で表示部が押圧されてセルが変形した場合でも、第１の電極と第２の電極とが接触することがなく、第１の電極と第２の電極との間で短絡が生じるのを防止することができる。
【０００９】
また、上記電気泳動表示装置は、第１及び第２の電極の双方がセルの外側に設けられ、第２の電極がセルの側面に位置していてもよい。この構成によれば、セルが径方向内側に変形した場合でも、第１の電極と第２の電極との間に少なくともセルの側壁部が介在するため、第１の電極と第２の電極とが接触することがなく、第１の電極と第２の電極との間で短絡が生じるのを防止することができる。
【００１０】
また、上記電気泳動表示装置において、第２の電極は各セルの側端部全周に亘って設けることができる。この構成によれば、画素の色表示に使用しない荷電粒子を確実にセルの側面に集積させることができるため、より高精度のカラー画像を表示することができる。
【００１１】
また、上記電気泳動表示装置は、各表示部の上面の周縁部を覆うように設けられ、第２の電極に集積する荷電粒子を遮蔽するための遮蔽手段をさらに備えていてもよい。この構成によれば、画素の色表示に使用しない荷電粒子を確実に視認できないようにすることができるため、より高精度のカラー画像を表示することができる。
【００１２】
また、上記電気泳動表示装置は、各表示部の下方に設けられ、セルを通過した光を反射させるための反射板をさらに備えていてもよい。
【００１３】
また、上記電気泳動表示装置において、荷電粒子は、フッ素を含有する材料から成り、負電荷を有するエレクトレット性粒子とすることができる。この構成によれば、荷電粒子を規則的且つ高速に電気泳動させることができる。
【発明の効果】
【００１４】
本発明によれば、高精度のカラー画像を表示することができる。
【図面の簡単な説明】
【００１５】
【図１】本発明の一実施形態に係る電気泳動表示装置の正面断面概略図である。
【図２】本発明の一実施形態に係る電気泳動表示装置における荷電粒子の動作を示す斜視図である。
【図３】本発明の一実施形態に係る電気泳動表示装置の動作を示す正面断面概略図である。
【図４】上記実施形態の変形例に係る電気泳動表示装置におけるセルの正面断面概略図である。
【図５】上記実施形態の変形例に係る電気泳動表示装置の正面断面概略図である。
【図６】上記実施形態の変形例に係る電気泳動表示装置におけるセルの正面断面概略図である。
【図７】上記実施形態の変形例に係る電気泳動表示装置の正面断面概略図である。
【図８】上記実施形態の変形例に係る電気泳動表示装置におけるセルの正面断面概略図である。
【発明を実施するための形態】
【００１６】
以下、本発明に係る電気泳動表示装置の実施形態について図面を参照しつつ説明する。
【００１７】
本実施形態に係る電気泳動表示装置１は、図１に示すように、複数の表示部２を備え、この表示部２は第１〜第３のセル５ａ〜５ｃを有しており、各セル内には第１の電極３及び第２の電極４が設けられている。
【００１８】
各表示部２は、画像を構成する画素毎に設けられており、図１に示すように、高さ方向に積層された第１〜第３のセル５ａ〜５ｃから構成されている。この第１〜第３のセル５ａ〜５ｃは、光を透過させることが可能なよう、例えば、ガラスやポリエチレンテレフタラートといった透明性合成樹脂等で形成されており、後述する第1の電極３及び第２の電極４を支持するための基盤７が下面に設けられている。この基盤７の材質としては、例えば、ガラスやポリエチレンテレフタラートといった透明性合成樹脂等が挙げられるが、第1の電極３及び第２の電極４を支持可能な樹脂又は金属であれば特に限定されない。なお、第３のセル５ｃの下方には、表示部２を透過してきた光を反射させるための反射板や、画像の背景色となる白色板又は黒色板が設けられていてもよい。また、第１のセル５ａの上面周縁部には、後述する第１〜第３の荷電粒子６ａ〜６ｃが第２の電極４に集積したときにこの第１〜第３の荷電粒子６ａ〜６ｃを遮蔽することができるよう、遮蔽手段を設けてもよい。この遮蔽手段は、例えば、第１のセル５ａの上面周縁部に例えば、金属クロム膜や酸化クロム膜、その他、遮光性、耐腐食性等を満たす材料で作製されたブラックマトリックスや、着色した樹脂等を配置したり、第１〜第３の荷電粒子６ａ〜６ｃを遮蔽可能な色（例えば黒色）で第１のセル５ａの上面周縁部を直接着色したりすることによって形成することができる。遮蔽手段の面積は、特に限定されるものではないが、第１のセル５ａ上面の面積に対して０．５〜４０％であることが好ましい。
【００１９】
第１〜第３のセル５ａ〜５ｃの内部には、図１に示すように、後述する第１〜第３の荷電粒子６ａ〜６ｃを収集するための第１の電極３及び第２の電極４が設けられている。第２の電極４は、第１〜第３のセル５ａ〜５ｃそれぞれの内側面全周に亘って配置されている。第１の電極３は、第２の電極４の内側において、この第２の電極４と短絡しないように第１〜第３のセル５ａ〜５ｃの底面に配置されている。この第１の電極３は、例えば、板状やストライプ状、格子状、ドット状等、種々の形状とすることができる。第１の電極３及び第２の電極４としては、特に限定されるものではないが、例えば、銅や銀といった導電性のよい金属、透明な導電性樹脂、又はＩＴＯ（酸化インジウムスズ）膜等を使用することができる。
【００２０】
また、図１に示すように、第１のセル５ａ内にはシアンに着色された第１の荷電粒子６ａ、第２のセル５ｂ内にはマゼンタに着色された第２の荷電粒子６ｂ、第３のセル５ｃ内にはイエローに着色された第３の荷電粒子６ｃが収容されている。また、第１〜第３のセル５ａ〜５ｃ内には、第１〜第３の荷電粒子６ａ〜６ｃを電気泳動させるための電気泳動媒体が充填されている。電気泳動媒体としては、空気の他、例えば、エチレングリコール（ＥＧ）、プロピレングリコール（ＰＧ）、グリセリン、ジメチルシリコーンオイル等のシリコーンオイル、パーフルオロポリエーテルオイル等のフッ素系オイル、又は石油系オイルといった液体媒体が挙げられ、液体媒体の中では特にシリコーンオイルが好ましい。
【００２１】
第１〜第３の荷電粒子６ａ〜６ｃは、フッ素を含有する材料から成り、負帯電性のエレクトレット性粒子である。この第１〜第３の荷電粒子６ａ〜６ｃの平均粒子径は、特に限定されるものではないが、小型ディスプレイの場合は０．０１〜２０μｍであり、大型ディスプレイの場合は、通常０．５〜３ｍｍ、好ましくは１〜２ｍｍである。
【００２２】
小型ディスプレイ用の第１〜第３の荷電粒子６ａ〜６ｃは、例えば、常圧又は加圧下で液状の含フッ素化合物（非重合性）又は含フッ素重合性化合物を、これらが相溶しない液体中で乳化することにより乳化粒子とし、乳化粒子を懸濁状態のまま又は電気泳動媒体に再分散させた状態でこの乳化粒子に電子線又は放射線を照射することで製造することができる。電子線又は放射線の照射条件は粒子をエレクトレット化できる限り限定されないが、電子線については、例えば、電子線加速器を用いて１０〜５０ｋＧｙ程度のものを照射すればよく、放射線については、例えば、１〜１５ｋＧｙ程度のガンマ線を照射すればよい。なお、加圧下で液状の含フッ素化合物及び含フッ素重合性化合物は、温度０〜１００℃程度、圧力５〜３０ｂａｒ程度で液体のものが好適に利用でき、その場合には液体となる条件下において乳化粒子を調製する。また、含フッ素重合性化合物を用いる場合は、この乳化粒子を加熱又は紫外線照射等により硬化させる。加熱硬化の場合には、例えば、８０℃程度で１時間加熱して硬化させればよい。また、紫外線照射による場合は、波長３６５ｎｍの紫外線を１〜２Ｊ／ｃｍ２程度照射して硬化させればよい。
【００２３】
含フッ素化合物としては、公知のフッ素系樹脂、フッ素系オイル、フッ素系接着剤等を広く利用することができる。フッ素系樹脂としては、四フッ化エチレン樹脂等が挙げられる。具体例としては、ポリテトラフルオロエチレン（ＰＴＦＥ）「ＦＲ１Ｃ＝Ｒ１Ｒ２  Ｒ１＝Ｆ又はＨ、Ｒ２＝Ｆ又はＨ又はＣｌ又は任意」等が挙げられる。フッ素系オイルとしては、パーフルオロポリエーテルオイル、三フッ化塩化エチレン低重合体等が挙げられる。具体例としては、パーフルオロポリエーテルオイル（商品名「デムナム」ダイキン工業製）、三フッ化塩化エチレン低重合体（商品名「ダイフロイル」ダイキン工業製）等が挙げられる。フッ素系接着剤としては、紫外線硬化型フッ素化エポキシ接着剤等が挙げられる。具体例としては、商品名「オプトダイン」（ダイキン工業製）等が挙げられる。
【００２４】
含フッ素重合性化合物としては、公知のフッ素系エラストマー、フッ素塗料ワニス、重合性フッ素樹脂等を広く利用することができる。含フッ素重合性化合物として用いられるフッ素系エラストマーとしては、直鎖状フルオロポリエーテル化合物が挙げられる。具体例としては、商品名「ＳＩＦＥＬ３５９０−Ｎ」、「ＳＩＦＥＬ２６１０」、「ＳＩＦＥＬ８４７０」（いずれも信越化学工業製）等が挙げられる。フッ素塗料ワニスとしては、四フッ化エチレン／ビニルモノマー共重合体（商品名「ゼッフル」ダイキン工業製）等が挙げられる。重合性フッ素樹脂としては、重合性アモルファスフッ素樹脂（商品名「ＣＹＴＯＰ」旭硝子製）等が挙げられる。
【００２５】
含フッ素化合物及び含フッ素重合性化合物が相溶しない液体としては限定的ではないが、例えば、水、エチレングリコール（ＥＧ）、プロピレングリコール（ＰＧ）、グリセリン、シリコーンオイル等が挙げられる。これらの中から、用いる含フッ素化合物又は含フッ素重合性化合物に応じて適宜選択する。含フッ素化合物及び含フッ素重合性化合物が相溶しない液体は、いわゆる電気泳動媒体を用いてもよい。電気泳動媒体としては、例えば、エチレングリコール（ＥＧ）、プロピレングリコール（ＰＧ）、グリセリン、ジメチルシリコーンオイル等のシリコーンオイル、パーフルオロポリエーテルオイル等フッ素系オイル、石油系オイル等が挙げられる。
【００２６】
乳化に用いる乳化剤としては、ポリビニルアルコール、エチレン無水マレイン酸等が挙げられる。乳化剤の含有量は、含フッ素化合物及び含フッ素重合性化合物が相溶しない液体中に１〜１０重量％程度とすることが好ましい。乳化粒子を調製する際は、これらの成分を攪拌機、ミキサー、ホモジナイザー等の公知の混合機に投入し、均一に混合することによって調製することができる。この場合、加熱しながら混合することが好ましい。
【００２７】
大型ディスプレイ用の第１〜第３の荷電粒子６ａ〜６ｃは、例えば、フッ素含有樹脂シートに電子線又は放射線を照射してエレクトレット化した後、このフッ素含有樹脂シートを公知のプラスチックフィルム粉砕装置等で破砕することによって製造することができる。電子線又は放射線の照射条件はフッ素含有樹脂シートをエレクトレット化できる限り限定されないが、垂直方向からシート全体に同時且つ均一に電子線又は放射線を照射することが好ましい。電子線又は放射線の照射量については、例えば、電子線加速器を用いて１０〜２０００ｋＧｙ程度の電子線、あるいは１〜１５ｋＧｙ程度のガンマ線を照射すればよい。
【００２８】
フッ素含有樹脂シートとしては、電子トラップとして機能する限り特に限定されず、例えば、テトラフルオロエチレン−ヘキサフルオロプロピレン共重合体シート（FEP）、テトラフルオロエチレン−パーフルオロアルキルビニルエーテル共重合体シート（PFA）、ポリテトラフルオロエチレンシート（PTFE）、テトラフルオロエチレン−エチレン共重合体シート（ETFE）、ポリビニリデンフルオライドシート（PVDF）、ポリクロロトリフルオロエチレンシート（PCTFE）、クロロトリフルオエチレン−エチレン共重合体シート
（ECTFE）等が挙げられる。これらのフッ素含有樹脂シートの中でも、特にFEPシート、PFAシート及びPTFEシートの少なくとも１種が好ましい。
【００２９】
上述したような含フッ素化合物、含フッ素重合性化合物、及びフッ素含有樹脂シートには予め顔料が配合されている。この顔料としては、特に限定されるものではないが、β−ナフトール系、ナフトールＡＳ系、アセト酢酸、アリールアミド系、ピラゾロン系、アセト酢酸アリールアミド系、ピラゾロン系、β−ナフトール系、β−オキシナフトエ酸系（ＢＯＮ酸系）、ナフトールＡＳ系、アセト酢酸アリリド系のアゾ顔料等が挙げられる。また、フタロシアニン系、アントラキノン系（スレン系）、ペリレン系・ペリノン系、インジゴ系・チオインジゴ系、キナクリドン系、ジオキサジン系、イソインドリノン系、キノフタロン系、金属錯体顔料、メチン・アゾメチン系、ジケトピロロピロール等の多環状顔料が挙げられる。その他、アジン顔料、昼光蛍光顔料（染料樹脂固溶体）、中空樹脂顔料、ニトロソ顔料、ニトロ顔料、天然顔料等が挙げられる。具体的な市販品としては、ＤＩＣ（株）製のSymuler fast yellow 4GO、Fasdtogensuper magenta RG、Fasdtogen blue TGRや、富士色素（株）製のFuji fast red 7R3300E、Fuji fast carmine 527等が挙げられる。これらの顔料の粒子径としては、０．０２〜２０μｍ程度が好ましく、０．０２〜３μｍ程度がより好ましい。
【００３０】
次に、上述した電気泳動表示装置１の作動について、図２及び図３も参照しつつ説明する。なお、図２においては、第１〜第３のセル５ａ〜５ｃを総括的にセル５、第１〜第３の荷電粒子を総括的に荷電粒子６として示している。
【００３１】
上記電気泳動表示装置１により、ある画素に青色を表示したい場合、シアンに着色された第１の荷電粒子６aが収容されている第１のセル５ａ内において、第１の電極３が正極となるとともに第２の電極４が負極となるよう、第１の電極３及び第２の電極４に電圧を印加すると、第１の荷電粒子６ａが、第１の電極３に引き寄せられ、第１のセル５ａの底面に配置される（図２（ａ））。一方、第２及び第３のセル５ａ、５ｂ内においては、第１の電極３が負極となるとともに第２の電極４が正極となるよう、第１の電極３及び第２の電極４に電圧を印加すると、第２及び第３の荷電粒子６ｂ、６ｃが、第２の電極４に引き寄せられ、第２及び第３のセル５ａ、５ｂの内側面に配置される。（図２（ｂ））この状態で表示部２を上方から確認すると、第１の荷電粒子６ａの色（シアン）のみが視認され、第２の荷電粒子６ｂの色（マゼンタ）及び第３の荷電粒子６ｃの色（イエロー）は第２及び第３のセル５ｂ、５ｃ、第２の電極４又は遮蔽手段に隠れて視認することができないため、画素には青色が表示される（図３（ａ））。
【００３２】
また、ある画素に赤色を表示したい場合、第２のセル５ｂ内において第１の電極３を正極、第２の電極４を負極として、第２の荷電粒子６ｂを第２のセル５ｂの底面に移動させ（図２（ａ））、第１及び第３のセル５ａ、５ｃ内においては、第１の電極３を負極、第２の電極４を正極として、第１及び第３の荷電粒子６ａ、６ｃを第１及び第３のセル５ａ、５ｃの内側面に移動させる（図２（ｂ））。この状態で表示部２を上方から確認すると、第２の荷電粒子６ｂの色（マゼンタ）のみが視認され、第１の荷電粒子６ａの色（シアン）及び第３の荷電粒子６ｃの色（イエロー）は第１及び第３のセル５ａ、５ｃ、第２の電極４又は遮蔽手段に隠れて視認することができないため、画素には赤色が表示される（図３（ｂ））。
【００３３】
同様に、ある画素に黄色を表示したい場合、第３のセル５ｃ内において第１の電極３を正極、第２の電極４を負極として、第３の荷電粒子６ｃを第３のセル５ｃの底面に移動させ（図２（ａ））、第１及び第２のセル５ａ、５ｂにおいては、第１の電極３を負極、第２の電極４を正極として、第１及び第２の荷電粒子６ａ、６ｂを第１及び第２のセル５ａ、５ｂの内側面に移動させる（図２（ｂ））。この状態で表示部２を上方から確認すると、第３の荷電粒子６ｃの色（イエロー）のみが視認され、第１の荷電粒子６ａの色（シアン）及び第２の荷電粒子６ｂの色（マゼンタ）は第１及び第２のセル５ａ、５ｂ、第２の電極４又は遮蔽手段に隠れて視認することができないため、画素には黄色が表示される（図３（ｃ））。
【００３４】
また、ある画素に黒色を表示する場合、第１〜第３のセル５ａ〜５ｃ内において、第１の電極３及び第２の電極４に印加する電圧の大きさを調整し、第１〜第３の荷電粒子６ａ〜６ｃを分散させる（図３（ｄ））。この状態で表示部２を上方から確認すると、第１〜第３の荷電粒子６ａ〜６ｃの色が混合した状態で見えるため、画素の色は黒色となる。
【００３５】
以上のように、本実施形態の電気泳動表示装置１は、画素毎に対応した各表示部２が第１〜第３のセル５ａ〜５ｃを積層した構成となっており、この第１〜第３のセル５ａ〜５ｃ内における第１〜第３の荷電粒子６ａ〜６ｃを移動させることにより、１つの画素でさまざまな色を表示することができる。このため、画像範囲内において、画像表示に寄与しない無駄な画素が存在することがなく、結果として高精度のカラー画像を表示することができる。
【００３６】
以上、本発明の実施形態について説明したが、本発明はこれらに限定されるものではなく、本発明の趣旨を逸脱しない限りにおいて種々の変更が可能である。例えば、第１〜第３のセル５ａ〜５ｃは、矩形状に形成されていたが、特にこれに限定されるものではなく、例えば、円柱状、多角柱状等種々の形状とすることができる。
【００３７】
また、上記実施形態においては、表示部２は３層のセルから構成されていたが、少なくとも３層のセルを有していればよく、表示部を４層以上のセルで構成した場合、シアン、マゼンタ、及びイエロー以外の色（例えば、白色、黒色、又は中間色等）に着色された荷電粒子を収容したセルを設けることができる。
【００３８】
また、上記実施形態においては、表示部２は、第１の荷電粒子６ａ（シアン）を収容した第１のセル５ａ、第２の荷電粒子６ｂ（マゼンタ）を収容した第２のセル５ｂ、及び第３の荷電粒子（イエロー）を収容した第３のセル５ｃを順に積層した構成となっていたが、これらのセルの積層順を入れ替えることもできる。
【００３９】
また、上記実施形態においては、第１〜第３の荷電粒子６ａ〜６ｃは、各々シアン、マゼンタ、イエローに着色されていたが、荷電粒子の色については適宜選択することができ、例えば、レッド、グリーン、及びブルー等に着色されていてもよい。
【００４０】
また、上記実施形態においては、第１〜第３の荷電粒子６ａ〜６ｃは、負帯電性のエレクトレット性粒子であったが、セル内において電気泳動が可能な粒子であれば特にこれに限定されず、正に帯電していてもよいし、エレクトレット化されていなくてもよい。
【００４１】
また、上記実施形態において、第２の電極４は各セルの内側面全周に亘って設けられていたが、荷電粒子をセルの側面に収集することができればよく、例えば、セルの一側面にのみ設けられていてもよい。
【００４２】
また、上記実施形態において、第１の電極３及び第２の電極４は各セル内に設けられていたが、セル内の荷電粒子をセルの底面又は側面に収集することができればよく、図４〜図８に示すように、第１及び第２の電極の少なくとも一方をセルの外側に設けることができる。
【００４３】
図４（ａ）及び図４（ｂ）に示すように、第１の電極３をセル５の内側底面に設けた場合、セル５の外側における上面側端部又は下面側端部に第２の電極４を設けることができる。なお、図５（ａ）及び図５（ｂ）に示すように、この第２の電極４は隣り合うセル５において一体的に形成されてもよい。これにより、第１の電極３と第２の電極４とはセル５の天井部５１又は底部５２に隔てられることとなるため、例えば、指やタッチペン等で電気泳動表示装置の表示部が押圧されることによりセル５が変形したとしても、第１の電極３と第２の電極４とが接触することがなく、短絡が生じるのを防止することができる。
【００４４】
図４（ｃ）に示すように、セル５の内側底面に第１の電極３を設けるとともに、セル５の外側側面に第２の電極４を設けてもよい。これにより、第１の電極３と第２の電極４との間にセル５の側壁部５３が介在することとなり、第１の電極３と第２の電極４との間で短絡が生じるのを防止することができる。ただし、この場合、隣り合うセル５における第２の電極４同士が接触するのを防止するため、図５（ｃ）に示すように、隣り合うセル５間には仕切り部８が設けられていることが好ましい。この仕切り部８の材質としては、特に限定されるものではないが、例えば、フェノール、エポキシ、メラミン、尿素、ポリウレタンといった熱硬化性樹脂や、ポリエチレン、ポリプロピレン、アクリル樹脂といった汎用プラスチック等の絶縁体を挙げることができる。なお、図４及び図５において、第１の電極３は、セル５の底面に設けられているが、セル５の上面に設けられていてもよい。
【００４５】
図６（ａ）及び図６（ｂ）に示すように、第２の電極４をセル５の内側面に設ける場合、セル５の外側上面又は外側下面に第１の電極３を設けることができる。なお、この場合、図７（ａ）及び図７（ｂ）に示すように、複数のセル５における第１の電極３を一体的に形成してもよい。これにより、第１の電極３と第２の電極４との間にセル５の天井部５１又は底部５２が介在することとなり、第１の電極３と第２の電極４との間で短絡が生じるのを防止することができる。
【００４６】
図８（ａ）に示すように、セル５の外側において、第１の電極３をセル５の下面に設けるとともに第２の電極４をセル５の上面に設けることもできる。この場合、第１の電極３と第２の電極４との間にセル５の天井部５１及び底部５２が介在することとなるため、第１の電極３と第２の電極４との間で短絡が生じるのを防止することができる。
【００４７】
また、図８（ｂ）に示すように、セル５の外側において、第１の電極３をセル５の下面に設けるとともに第２の電極４をセル５の側面に設けた場合、第１の電極３と第２の電極４との間にセル５の側壁部５３及び底部５２が介在するため、セル５が径方向内側に変形したとしても、第１の電極３と第２の電極４との間で短絡が生じるのを防止することができる。なお、図８において、第１の電極３は、セル５の底面に設けられているが、セル５の上面に設けられていてもよい。
【符号の説明】
【００４８】
１            電気泳動表示装置
２            表示部
３            第１の電極
４            第２の電極
５ａ〜５ｃ    第１〜第３のセル
６ａ〜６ｃ    第１〜第３の荷電粒子
【図１】
2012108442.tif 000003
【図２】
2012108442.tif 000004
【図３】
2012108442.tif 000005
【図４】
2012108442.tif 000006
【図５】
2012108442.tif 000007
【図６】
2012108442.tif 000008
【図７】
2012108442.tif 000009
【図８】
2012108442.tif 000010
【手続補正書】
【提出日】平成23年4月14日(2011.4.14)
【手続補正１】
【補正対象書類名】明細書
【補正対象項目名】０００３
【補正方法】変更
【補正の内容】
【０００３】
【特許文献１】特開２００５−２４１７８４号公報
【手続補正書】
【提出日】平成23年6月24日(2011.6.24)
【手続補正１】
【補正対象書類名】特許請求の範囲
【補正対象項目名】全文
【補正方法】変更
【補正の内容】
【特許請求の範囲】
【請求項１】
荷電粒子を収容する少なくとも３層のセルを有し、マトリクス状に配置されて各画素を表示する複数の表示部と、
前記各セルの上面又は下面に設けられた第１の電極と、
前記各セルの側端部に設けられた第２の電極と、
を備え、
前記荷電粒子は、フッ素を含有する材料から成り、且つ負電荷を有するエレクトレット性粒子であるとともに、前記各表示部において前記セル毎に異なる色に着色されている、電気泳動表示装置。
【請求項２】
前記荷電粒子は、含フッ素化合物と相溶しない液体中で乳化され電子線又は放射線が照射された含フッ素化合物である、請求項１に記載の電気泳動表示装置。
【請求項３】
前記含フッ素化合物は、電気泳動媒体に再分散された状態で前記電子線又は放射線が照射される、請求項２に記載の電気泳動表示装置。
【請求項４】
前記荷電粒子は、電子線又は放射線が照射されたフッ素含有樹脂シートの破砕片である、請求項１に記載の電気泳動表示装置。
【請求項５】
前記第１及び第２の電極は、一方が前記セルの外側に設けられるとともに、他方が前記セルの内側に設けられている、請求項１〜４のいずれかに記載の電気泳動表示装置。
【請求項６】
前記第１及び第２の電極は、前記セルの外側に設けられ、
前記第２の電極は、前記セルの側面に位置している、請求項１〜４のいずれかに記載の電気泳動表示装置。
【請求項７】
前記第２の電極は、前記各セルの側端部全周に亘って設けられている、請求項１〜６のいずれかに記載の電気泳動装置。
【請求項８】
前記各表示部の上面の周縁部を覆うように設けられ、前記第２の電極に集積する前記荷電粒子を遮蔽するための遮蔽手段をさらに備える、請求項１〜７のいずれかに記載の電気泳動表示装置。
【請求項９】
前記各表示部の下方に設けられ、前記セルを通過した光を反射させるための反射板をさらに備える、請求項１〜８のいずれかに記載の電気泳動表示装置。
【請求項１０】
前記第２の電極は、前記第１の電極の外側に配置されている、請求項１〜９のいずれかに記載の電気泳動表示装置。
【手続補正書】
【提出日】平成23年10月21日(2011.10.21)
【手続補正１】
【補正対象書類名】特許請求の範囲
【補正対象項目名】全文
【補正方法】変更
【補正の内容】
【特許請求の範囲】
【請求項１】
荷電粒子を収容する少なくとも３層のセルを有し、マトリクス状に配置されて各画素を表示する複数の表示部と、
前記各セルの上面又は下面に設けられた第１の電極と、
前記各セルの側端部に設けられた第２の電極と、
を備え、
前記荷電粒子は、含フッ素化合物と相溶しない液体中で乳化され電子線又は放射線が照射された含フッ素化合物であって負電荷を有するエレクトレット性粒子であるとともに、前記各表示部において前記セル毎に異なる色に着色されている、電気泳動表示装置。
【請求項２】
荷電粒子を収容する少なくとも３層のセルを有し、マトリクス状に配置されて各画素を表示する複数の表示部と、
前記各セルの上面又は下面に設けられた第１の電極と、
前記各セルの側端部に設けられた第２の電極と、
を備え、
前記荷電粒子は、電子線又は放射線が照射されたフッ素含有樹脂シートの破砕片であって負電荷を有するエレクトレット性粒子であるとともに、前記各表示部において前記セル毎に異なる色に着色されている、電気泳動表示装置。
【請求項３】
前記含フッ素化合物は、電気泳動媒体に再分散された状態で前記電子線又は放射線が照射される、請求項１に記載の電気泳動表示装置。
【請求項４】
前記第１及び第２の電極は、一方が前記セルの外側に設けられるとともに、他方が前記セルの内側に設けられている、請求項１〜３のいずれかに記載の電気泳動表示装置。
【請求項５】
前記第１及び第２の電極は、前記セルの外側に設けられ、
前記第２の電極は、前記セルの側面に位置している、請求項１〜３のいずれかに記載の電気泳動表示装置。
【請求項６】
前記第２の電極は、前記各セルの側端部全周に亘って設けられている、請求項１〜５のいずれかに記載の電気泳動装置。
【請求項７】
前記各表示部の上面の周縁部を覆うように設けられ、前記第２の電極に集積する前記荷電粒子を遮蔽するための遮蔽手段をさらに備える、請求項１〜６のいずれかに記載の電気泳動表示装置。
【請求項８】
前記各表示部の下方に設けられ、前記セルを通過した光を反射させるための反射板をさらに備える、請求項１〜７のいずれかに記載の電気泳動表示装置。
【請求項９】
前記第２の電極は、前記第１の電極の外側に配置されている、請求項１〜８のいずれかに記載の電気泳動表示装置。